(57)【要約】【課題】円筒部を有するアウター部材と，円筒部の内径よりも小さい外径を有すると共に円筒部から突出するように該円筒部内において同軸上に配置されたインナー部材とを含む処理部材において，円筒部の内周面に形成されたリング溝に，スナップリングを容易に装着できるスナップリングインサート方法及びその装置を提供すること。【解決手段】載置した処理部材５を回転させるための回転テーブル４０と，スナップリング６０の一部を間隙５３３に押し込める挿入部１１と，間隙５３３内に未挿入の部分を間隙５３３に向けて押し付けるための押さえ部２１とを有するスナップリングインサート装置１を用いる方法である。この方法においては，押さえ部２１により押さえつけた部分が順次上記挿入部１１によって上記間隙５３３内に押し込められるように回転テーブル４０を回転させる。【選択図】　図１
2004011696.tif 000002
【特許請求の範囲】
【請求項１】
円筒部を有するアウター部材と，上記円筒部の内径よりも小さい外径を有すると共に上記円筒部から突出するように該円筒部内において同軸上に配置されたインナー部材とを含む処理部材に対し，上記円筒部と上記インナー部材との間隙にスナップリングを押し込んで上記円筒部の内周面に形成されたリング溝に上記スナップリングを装着するため方法であって，
上記処理部材の上記間隙の開口部上に上記スナップリングを配置するリングセット工程と，
上記スナップリングの一端部を，挿入手段を用いて上記間隙内に押し込むと共に，押さえ手段により上記スナップリングの上記間隙内に挿入されていない部分を上記間隙の開口部に向けて押し付けるリング挿入工程と，
上記押さえ手段により押し付けた部分が順次上記挿入手段によって上記間隙内に押し込められるように上記処理部材を回転させる回転工程とを含むことを特徴とするスナップリングインサート方法。
【請求項２】
円筒部を有するアウター部材と，上記円筒部の内径よりも小さい外径を有すると共に上記円筒部から突出するように該円筒部内において同軸上に配置されたインナー部材とを含む処理部材に対し，上記円筒部と上記インナー部材との間隙にスナップリングを押し込んで上記円筒部の内周面に形成されたリング溝に上記スナップリングを装着するための装置であって，
上記間隙の開口部を上方に向けて上記処理部材を載置して上記円筒部の軸心を中心として回転させるための回転テーブルと，
上記スナップリングを上記間隙内の上記リング溝の位置まで押し込むための挿入部と，
上記スナップリングにおける上記間隙内に挿入されていない部分を上記間隙の開口部に向けて押し付けるための押さえ部とを有していることを特徴とするスナップリングインサート装置。
【請求項３】
請求項２において，上記挿入部と上記押さえ部とは，これらと上記スナップリングとの接触位置が，上記アウター部材の上記円筒部の軸心を中心として，３０度から７０度の範囲となるように配置されていることを特徴とするスナップリングインサート装置。
【請求項４】
請求項２又は３において，上記挿入部は，上記スナップリングに当接する位置と，上記アウター部材と上記インナー部材との間に形成される略円筒状の間隙を軸方向に延長した延長領域の外側の位置との間を移動可能なように構成してあり，上記押さえ部は，上記スナップリングに当接する位置と，上記延長領域の外側の位置との間を移動可能なように構成してあり，
上記押さえ部は，上記挿入部に連動して位置を変更し，上記挿入部が上記スナップリングに当接する位置にあるとき，上記押さえ部も上記スナップリングに当接し，上記挿入部が上記延長領域の外側にあるとき，上記押さえ部も上記延長領域の外側に位置するよう構成してあることを特徴とするスナップリングインサート装置。
【請求項５】
請求項２〜４のいずれか１項において，上記挿入部は，トグルクランプのクランプアームの先端に配設してあることを特徴とするスナップリングインサート装置。
【発明の詳細な説明】
【０００１】
【技術分野】
本発明は，円筒形状部材の内周面に，スナップリングを装着する装置及びその装着方法に関する。
【０００２】
【従来技術】
円筒形状の部材の内周面に設けられたリング溝にスナップリングを装着するに当たっては，スナップリングの合口の間隔を縮めた状態で保持し得る専用工具を用いるのが一般的である。
この専用工具を用いてスナップリングを装着するに当たっては，まず，スナップリングの合口の間隔を縮めるよう拘束しておき，その状態を保持しながら上記部材の内周面側にスナップリングを押し込める。そして，上記内周面に設けられたリング溝とスナップリングとを対向させる。そしてその後，上記専用工具による拘束を解いてスナップリングを開放すると，スナップリングは，その合口の間隔を元に戻そうとするばね力により上記リング溝に強固に装着されることとなる。
【０００３】
【解決しようとする課題】
しかしながら，上記のスナップリングインサート方法及びその方法に用いる専用工具には次のような問題がある。
即ち，円筒部を有するアウター部材と，上記円筒部の内径よりも小さい外径を有すると共に上記円筒部から突出するように該円筒部内において同軸上に配置されたインナー部材とを含む処理部材に対し，上記円筒部の内周面に形成されたリング溝に上記スナップリングを装着する場合である。
【０００４】
上記円筒部と上記インナー部材との間隙が狭くなると，円筒部の内部に押し込めるためのスナップリングの外径と，インナー部材の外周を囲みうるスナップリングの内径とが両立しなくなる。すなわち，スナップリングの外径を，円筒部の内径よりも小さくすると，スナップリングの内径が，インナー部材の外径より小さくならざるを得ない場合を生じる。このような場合には，上記間隙に対して，上記のごとく合口を縮めた状態のスナップリングを押し込めていくことは不可能である。
【０００５】
本発明は，かかる従来の問題点に鑑みてなされたもので，円筒部を有するアウター部材と，上記円筒部の内径よりも小さい外径を有すると共に上記円筒部から突出するように該円筒部内において同軸上に配置されたインナー部材とを含む処理部材における，上記円筒部の内周面に形成されたリング溝に，スナップリングを容易に装着できるスナップリングインサート方法及びその装置を提供しようとするものである。
【０００６】
【課題の解決手段】
第１の発明は，円筒部を有するアウター部材と，上記円筒部の内径よりも小さい外径を有すると共に上記円筒部から突出するように該円筒部内において同軸上に配置されたインナー部材とを含む処理部材に対し，上記円筒部と上記インナー部材との間隙にスナップリングを押し込んで上記円筒部の内周面に形成されたリング溝に上記スナップリングを装着するため方法であって，
上記処理部材の上記間隙の開口部上に上記スナップリングを配置するリングセット工程と，
上記スナップリングの一端部を，挿入手段を用いて上記間隙内に押し込むと共に，押さえ手段により上記スナップリングの上記間隙内に挿入されていない部分を上記間隙の開口部に向けて押し付けるリング挿入工程と，
上記押さえ手段により押し付けた部分が順次上記挿入手段によって上記間隙内に押し込められるように上記処理部材を回転させる回転工程とを含むことを特徴とするスナップリングインサート方法にある（請求項１）。
【０００７】
上記第１の発明のスナップリングインサート方法は，上記リングセット工程と上記リング挿入工程と上記回転工程とを含む方法である。この方法によれば，上記アウター部材と上記インナー部材とを含む上記処理部材において，上記アウター部材の上記円筒部と上記インナー部材との間隙に対して，容易かつスムースにスナップリングのインサートを行うことができる。
【０００８】
即ち，まず，上記リングセット工程においては，スナップリングの一端部が，上記間隙の上記開口部と略一致するよう上記スナップリングを処理部材に対してセットする。
次に，上記リング挿入工程においては，上記挿入手段により，スナップリングの一部を押圧して，その一端部を上記間隙におけるリング溝の位置まで押し込める。さらに，上記押さえ手段を用いてスナップリングにおける未だ間隙に押し込まれてない部分を上記開口部に向けて押し付ける。これにより，上記間隙に押し込まれた部分から押し込まれていない部分に至るスナップリングの傾斜角度が抑制され，上記間隙に押し込められていない部分のスナップリングを上記間隙の上記開口部に近づけることができる。
【０００９】
次に，上記回転工程においては，上記押さえ手段により押し付けられた部分が，順次上記挿入手段によって上記間隙に押し込まれるよう上記処理部材を回転させる。即ち，この工程においては，スナップリングにおける押さえ手段及び挿入手段が接触する部分を，スナップリングに対して相対的に移動させる。
【００１０】
そして，上記の回転によって，押さえ手段により押し付けられた部分は，順次挿入手段により上記間隙に押し込められていくので，この回転をおよそ１回転分実施することにより，上記リング全体が上記間隙内のリング溝の位置まで押し込められる。そして，リング溝に対面したスナップリングは，その中に速やかに装着される。
【００１１】
このように，上記第１の発明によれば，円筒部を有するアウター部材と，上記円筒部の内径よりも小さい外径を有すると共に上記円筒部から突出するように該円筒部内において同軸上に配置されたインナー部材とを含み，スナップリングを予め小さく縮めて挿入することができない処理部材において，上記円筒部の内周面に形成されたリング溝に，スナップリングを容易に装着できる容易かつスムースにスナップリングの装着を行うことができる。
【００１２】
第２の発明は，円筒部を有するアウター部材と，上記円筒部の内径よりも小さい外径を有すると共に上記円筒部から突出するように該円筒部内において同軸上に配置されたインナー部材とを含む処理部材に対し，上記円筒部と上記インナー部材との間隙にスナップリングを押し込んで上記円筒部の内周面に形成されたリング溝に上記スナップリングを装着するための装置であって，
上記間隙の開口部を上方に向けて上記処理部材を載置して上記円筒部の軸心を中心として回転させるための回転テーブルと，
上記スナップリングを上記間隙内の上記リング溝の位置まで押し込むための挿入部と，
上記スナップリングにおける上記間隙内に挿入されていない部分を上記間隙の開口部に向けて押し付けるための押さえ部とを有していることを特徴とするスナップリングインサート装置にある（請求項２）。
【００１３】
上記第２の発明による上記スナップリングインサート装置は，上記回転テーブルと上記挿入部と上記押さえ部とを有している。そのため，上述した優れたインサート方法（第１の発明）を確実に実施することができる。
即ち，まず，上記回転テーブルに，上記間隙の開口部を上方に向けて上記処理部材を載置することにより，これを上記円筒部の軸心を中心として回転可能な状態に保持する。次に，上記挿入部により，スナップリングの一部分のみを，上記リング溝まで押し込める。
【００１４】
スナップリングの一部のみを上記間隙に押し込めると，スナップリングにおける上記間隙に押し込まれた部分から押し込まれていない部分に至る傾斜角度が大きくなってしまう。この傾斜角度が大きくなると，スナップリングをリング溝に挿入していくことができない。
【００１５】
ここで，上記スナップリングインサート装置は，上記押さえ部を有している。この押さえ部を用いて，上記スナップリングにおける上記間隙内に押し込められてない部分を上記開口部に向けて押し付ける。これにより，スナップリングにおける上記傾斜角度が抑制され，スナップリングを上記開口部に近づけることができる。
【００１６】
この状態で回転テーブルを回転させると，上記挿入部と上記押さえ部とをスナップリングに接触させながら処理部材を回転させることができる。これにより，上記間隙の上記リング溝の位置まで押し込められ，上記リング溝に挿入された部分を契機として，スナップリングの他の部分を，順次リング溝の位置まで押し込んでいくことができる。そして，全周にわたってリング溝の位置まで押し込められたスナップリングは，速やかにリング溝に装着される。
【００１７】
このように，上記スナップリングインサート装置によれば，円筒部を有するアウター部材と，上記円筒部の内径よりも小さい外径を有すると共に上記円筒部から突出するように該円筒部内において同軸上に配置されたインナー部材とを含む処理部材における，上記円筒部の内周面に形成されたリング溝に，スナップリングを容易に装着することができる。
【００１８】
【発明の実施の形態】
上記第２の発明においては，上記挿入部と上記押さえ部とは，これらと上記スナップリングとの接触位置が，上記アウター部材の上記円筒部の軸心を中心として，３０度から７０度の範囲となるように配置されていることが好ましい（請求項３）。
【００１９】
この場合には，スナップリングにおける上記間隙に押し込めた部分から未だ押し込められてない部分に至る傾斜角度を有効に抑制して，上記間隙に押し込められてない部分のスナップリングを上記間隙の上記開口部に近づけることができる。
一方，３０度未満である場合には，上記押さえ部による上記スナップリングの押し付けが十分ではなく，上記の傾斜角度を十分に抑制できないおそれがある。また，７０度を超える場合には，スナップリングにおける上記押さえ部と上記挿入部との間の湾曲により，上記の傾斜角度が大きくなるおそれがある。
【００２０】
また，上記挿入部は，上記スナップリングに当接する位置と，上記アウター部材と上記インナー部材との間に形成される略円筒状の間隙を軸方向に延長した延長領域の外側の位置との間を移動可能なように構成してあり，上記押さえ部は，上記スナップリングに当接する位置と，上記延長領域の外側の位置との間を移動可能なように構成してあり，
上記押さえ部は，上記挿入部に連動して位置を変更し，上記挿入部が上記スナップリングに当接する位置にあるとき，上記押さえ部も上記スナップリングに当接し，上記挿入部が上記延長領域の外側にあるとき，上記押さえ部も上記延長領域の外側に位置するよう構成してあることが好ましい（請求項４）。
【００２１】
この場合には，上記挿入部及び上記押さえ部を，上記アウター部材と上記インナー部材との間に形成される略円筒状の間隙を軸方向に延長した延長領域の外側に移動できるため，スナップリングの挿入作業を実施するに当たり，上記スナップリングインサート装置へのスナップリングの載置を容易に実施できる。
さらに，上記押さえ部は，上記挿入部に連動して位置を変更するよう構成してある場合には，上記押さえ部又は上記挿入部のいずれか一方を操作するのみにより，容易に上記スナップリングインサート装置を操作することができる。
【００２２】
また，上記挿入部は，トグルクランプのクランプアームの先端に配設してあることが好ましい（請求項５）。
ここで，トグルクランプは，クランプするための力点を有するクランプアームと，操作力を作用させるための作用点を有するレバーアームとを含むリンク構造により構成されたクランプ装置である。このトグルクランプでは，上記レバーアームを操作して上記クランプアームをクランプ状態にすると，上記作用点への操作力を取り除いても，上記力点は大きなクランプ力を維持することができる。
【００２３】
上記挿入部が，上記クランプアームの先端に配設してある場合には，上記挿入部を，一旦上記スナップリングを上記間隙に押し込むことができる状態にすれば，上記レバーアームを継続して操作する必要がない。すなわち，上記の挿入部の状態は，上記トグルクランプ固有の作用により保持されることとなる。
【００２４】
【実施例】
（実施例１）
本例の実施例にかかるスナップリングインサート装置１及びスナップリングインサート方法について，図１〜図４を用いて説明する。
本例のスナップリングインサート装置１は，図１に示すごとく，円筒部５３１を有するアウター部材５３と，円筒部５３１の内径よりも小さい外径を有すると共に円筒部５３１から突出するように該円筒部５３１内において同軸上に配置されたインナー部材５１とを含む処理部材５に対し，円筒部５３１とインナー部材５１との間隙５３３にスナップリング６０を押し込んで円筒部５３１の内周面に形成されたリング溝５３２にスナップリング６０を装着するための装置である。
【００２５】
そして，このスナップリングインサート装置１は，図１に示すごとく，上記間隙５３３の開口部５２を上方に向けて処理部材５を載置して円筒部５３１の軸心を中心として回転させるための回転テーブル４０と，スナップリング６０を間隙５３３内のリング溝５３２の位置まで押し込むための挿入部１１と，スナップリング６０における間隙５３３内に押し込められてない部分を上記間隙５３３の開口部５２に向けて押し付けるための押さえ部２１とを有している。
【００２６】
そして，上記のスナップリングインサート装置１を用いて実施するスナップリングインサート方法は，リングセット工程と，リング挿入工程と，回転工程とを含む方法である。
上記リングセット工程は，処理部材５の間隙５３３の開口部５２上にスナップリング６０を配置する工程である。
【００２７】
上記リング挿入工程は，スナップリング６０の一端部を，挿入部１１を用いて間隙５３３に押し込むと共に，上記押さえ部２１により上記スナップリング６０の間隙５３３内に押し込められてない部分を間隙５３３の開口部５２に向けて押し付ける工程である。
さらに，上記回転工程は，押さえ部２１により押さえつけた部分が順次挿入部１１によって間隙５３３に押し込められるように回転テーブル４０を回転させる工程である。以下に，この内容について詳しく説明する。
【００２８】
まず，本例に適用する処理部材５及びスナップリング６０について説明する。この処理部材５は，図１に示すごとく，アウター部材５３とインナー部材５１とを同軸上に配置した部材である。
上記のアウター部材５３は，その軸方向の少なくとも一部に略円柱形状の中空部を有しており，この中空部によって円筒部５３１が形成されている。さらに，この円筒部５３１の内周面には，スナップリング６０を装着するためのリング溝５３２を設けてある。
【００２９】
また，インナー部材５１は，図１に示すごとく，アウター部材５３の上記円筒部５３１の内径よりも小さい外径を有する略円柱形状の部材である。そして，その軸方向の一部に，アウター部材５３の円筒部５３１に嵌り合う段部５１５とくびれ部５１６とを有しており，両者は，たな面５１８を介してつながっている。上記アウター部材５３とインナー部材５１とが同軸上に配置されたとき，このたな面５１８の位置は，上記リング溝５３２の上記軸方向の縁部であって，段部５１５側にある縁部と略一致するように構成されている。
【００３０】
そして，上記アウター部材５３とインナー部材５１とが同軸上に配置され，かつ，リング溝５３２にスナップリング６０が装着されたとき，このスナップリング６０の端面とインナー部材５１のたな面５１８とが当接するよう構成されている。このようにして，上記処理部材５は，アウター部材５３に対して，インナー部材５１を強固に固定できるよう構成されている。
【００３１】
また，スナップリング６０は，図５に示すごとく，ＳＷＲＨ７２Ａ等の高硬度線材よりなる板状素材からなる略円形のリング状の部材であって，端部が向き合ってなる合口６１を有するものである。そして，外径に対して幅が細いこのスナップリング６０は，上記の合口６１の間隔を伸縮可能に構成されている。そして，合口６１の間隔を縮められ，その外径が小さく拘束されたとき，スナップリング６０は，外側に拡開しようとするばね力を発揮するよう構成されている。
【００３２】
何ら外力を受けない状態のスナップリング６０は，図１に示すごとく，上記アウター部材５３の円筒部５３１の内径よりも大きな外径を有している。一方，スナップリング６０を内径方向に縮めてその端部が当接して上記の合口６１の間隔がゼロとなったとき，その外径は上記円筒部５３１の内径よりも小さくなるように構成してある。
すなわち，本例のスナップリング６０は，上記アウター部材５３の円筒部５３１の内周面に装着されたとき，上記合口６１の間隔を広げようとするばね力を発生して強固に固定できるものである。
【００３３】
そして，上記スナップリングインサート装置１は，図１及び図２に示すごとく，処理部材５を回転させるための回転テーブル４０と，スナップリング６０の一部を上記間隙５３３内へ押し込むための挿入部１１と，スナップリング６０におけるリング溝５３２に未挿入の部分を押し付けるための押さえ部２１とを有する装置である。
【００３４】
上記回転テーブル４０は，図１及び図２に示すごとく，スナップリングインサート装置１の土台をなすベース３０に回転可能に取り付けられると共に，処理部材５を載置するテーブルである。この回転テーブル４０のテーブル面４１には，処理部材５の外径よりわずかに大きい内径を有する位置決め用の凸状環（図示略）を設けてある。この凸状環は，上記回転テーブル４０の回転軸をその中心として形成してある。
【００３５】
上記挿入部１１は，図１及び図２に示すごとく，ベース３０に配設されたトグルクランプ１０のクランプアーム１３の先端に配設された凸状ピンであり，上記間隙５３３に差し込むことができるよう構成してある。
上記トグルクランプ１０は，図１及び図３に示すごとく，挿入部１１を操作するためのレバーアーム１２と挿入部１１を設けたクランプアーム１３と，中間アーム１４とからなるリンク構造を，クランプ台１５に取り付けたものである。
【００３６】
ここでは，中間アーム１４及びクランプアーム１３は，図１及び図３に示すごとく，それぞれ第１支点１０１，第３支点１０３によりクランプ台１５に回転可能に支持されるよう構成してある。また，レバーアーム１２は，中間アーム１４及びクランプアーム１３に，それぞれ第１支点１０１，第４支点１０４により回転可能に支持されるよう構成してある。
【００３７】
さらに，クランプアーム１３の側面には，図２及び図４に示すごとく，その側面と直交する軸の周りを回転可能なようカムアーム１３２が取り付けてある。該カムアーム１３２の先端には，さらに，後述するカム１３３を配設してある。
上記押さえ部２１は，図１及び図２に示すごとく，スナップリング６０における未だ間隙５３３に押し込められてない部分を，開口部５２に向けて押し付けることができるよう構成してある。この押さえ部２１は，押さえ部アーム２２を介して，上記テーブル面４１と略直角に配設された回動軸２３の周りを回動可能なように取り付けてある。
【００３８】
さらに，上記押さえ部アーム２２は，図２及び図４に示すごとく，上記カムアーム１３２の先端のカム１３３が係合するカム溝２２１を有している。そして，カム１３３とカム溝２２１との係合により，上記挿入部１１の移動に応じて，押さえ部２１を含む押さえ部アーム２２は，上記回動軸２３周りに回動するよう構成してある。
【００３９】
そして，上記挿入部１１が，上記間隙５３３に差し込む状態となったとき，押さえ部２１は，上記開口部５２に近接する位置に移動するよう構成してある。
なお，この押さえ部２１と上記挿入部１１とは，図２に示すごとく，スナップリング６０に接触する状態において，上記円筒部５３１の軸心を中心として，両者のなす角度が４５度になるように配置してある。
【００４０】
上記のごとく構成されたスナップリングインサート装置１を用いて，スナップリング６０を挿入するに当たっては，まず，上記回転テーブル４０に上記処理部材５を載置して，その間隙５３３上にスナップリング６０を載置するリングセット工程を実施する。
ここでは，まず，回転テーブル４０の回転軸と上記円筒部５３１の軸心とが一致するよう，テーブル面４１上の上記凸状環の内側に処理部材５を載置する。
【００４１】
そして，スナップリング６０を，図２に示すごとく，スナップリング６０における挿入部１１によって押し込められる部分及び，押さえ部２１によって押し付けられる部分が，処理部材５の上記開口部５２に略一致するように載置する。またこのとき，スナップリング６０における挿入部１１の接触位置から合口に至るまでの一端部を，間隙５３３に押し込むことができるようスナップリング６０の載置位置を調整する。
【００４２】
次に，スナップリング６０の一端部を，挿入部１１により間隙５３３に押し込むと共に，未だ間隙５３３に押し込まれてない部分を，押さえ部２１により開口部５２に向けて押し付けるリング挿入工程を実施する。
ここでは，まず，図１及び図３に示すごとく，上記レバーアーム１２の端部のうち，トグルクランプ１０とは反対側にある端部をベース３０側に押し下げ，上記トグルクランプ１０を構成するリンク構造を作用させる。
【００４３】
ベース３０側に押し下げられたレバーアーム１２は，図１及び図３に示すごとく，上記第２支点を中心として回転すると共に，この第２支点を支点とするテコの原理により上記第４支点１０４をベース３０と反対側に押し上げる。このとき，上記中間アーム１４と接続する第２支点は，中間アーム１４が上記第１支点１０１周りを回転していくのに応じて，処理部材５側に移動していく。
【００４４】
また，第４支点１０４により，レバーアーム１２と接続されたクランプアーム１３は，上記第４支点１０４が押し上げられると共に，上記第３支点１０３を中心として右回りに回転する。そうすると，このクランプアーム１３の先端に配設された挿入部１１は，図１に示すごとく，処理部材５の開口部５２の間隙５３３に向けて移動する。そして，挿入部１１は，この開口部５２にセットされたスナップリング６０と当接し，さらに，スナップリング６０における当接する部分を含む上記一端部を，間隙５３３に押し込める。
【００４５】
またこのとき，スナップリング６０のリンク構造を構成するクランプアーム１３，レバーアーム１２及び中間アーム１４は，図１に示すごとく，配置されることなる。このような配置状態においては，トグルクランプ１０固有の作用により，挿入部１１に力を作用して上方に押し上げることは困難である。そのため，レバーアーム１２に作用させる操作力を取り除いた後においても，挿入部１１は，スナップリング６０に対する押し込み状態を維持することができる。
【００４６】
さらに，上記のごとく，挿入部１１がスナップリング６０と接触するよう移動すると，クランプアーム１３に接続された上記カムアーム１３２のカムは，図２及び図４に示すごとく，上記押さえ部アーム２２のカム溝２２１を移動する。そうすると，押さえ部アーム２２は，カムとカム溝２２１の係合により，上記回動軸２３まわりを回動することとなる。そして，押さえ部アーム２２の先端に配設された押さえ部２１は，図２に示すごとく，処理部材５の開口部５２に近接する。
この押さえ部２１は，スナップリング６０における未だ間隙５３３に押し込まれてない部分を開口部５２に向けて押し付け，間隙５３３に押し込まれた部分から押し込まれてない部分に至るスナップリング６０の傾斜角度を抑制する。
【００４７】
次に，押さえ部２１により押さえつけた部分が，順次挿入部１１によって間隙５３３に押し込まれるように回転テーブル４０を回転させる回転工程を実施する。この工程においては，上記のリング挿入工程において操作したトグルクランプ１０のリンク構造の状態を維持しておく。すなわち，上記挿入部１１によりスナップリング６０の一部を間隙５３３に押し込め，上記押さえ部２１により間隙５３３に押し込まれていない部分を押し付けているという状態を保持しながら，上記回転工程を実施する。
【００４８】
この工程では，処理部材５を載置する回転テーブル４０を回転させる。処理部材５の軸心と回転テーブル４０の回転軸とは，略一致させてあるため，処理部材５は，その軸心を中心として回転することとなる。このとき，押さえ部２１及び挿入部１１が，スナップリング６０に接触する状態において，押さえ部２１から挿入部１１へ向かう方向に回転させる。
【００４９】
上記の方向に回転テーブル４０を回転させることは，すなわち，スナップリング６０における押さえ部２１に接触する部分を，順次挿入部１１側へ送り込んでいくことに等しい。そうすると，スナップリング６０における押さえ部２１により押し付けられた部分を順次，間隙５３３内のリング溝５３２の位置まで押し込めていくことができる。そして，処理部材５をおよそ３６０度回転させると，スナップリング６０は，その全周にわたり，リング溝５３２の位置まで押し込められる。そしてその結果，スナップリング６０は，リング溝５３２に装着され，上記アウター部材５３と上記インナー部材５１とを，その軸方向に強固に固定する。
【００５０】
このように，本例における，上記のスナップリングインサート装置１を利用して実施するスナップリングインサート方法によれば，上記アウター部材５３と，上記インナー部材５１とからなり，両者の間に形成される間隙５３３を含む処理部材５において，この間隙５３３内の上記リング溝５３２に対して，非常に効率良く，かつ，滑らかにスナップリング６０を装着することができる。
また，本例のスナップリングインサート方法によれば，スナップリング６０を装着する作業は，非常に滑らかに実施でき効率的である。さらに，その作業中において処理部材５等に無理な力を作用することもない。
【００５１】
なお，上記挿入部１１としては，その先端部に，回転するボールを配設することも良い。また，上記押さえ部２１としては，上記間隙５３３に正対するローラ面を有する回転ローラを配設し，該回転ローラによりスナップリング６０を押し付けることも良い。この場合には，上記回転工程において，挿入部１１及び押さえ部２１と，スナップリング６０との摩擦抵抗を減じて，さらに滑らかに回転工程を実施することができる。
【００５２】
また，本例では，トグルクランプ１０のクランプアーム１３に挿入部１１を配設しているが，トグルクランプ１０に替えて，簡単なてこ構造等を採用しても良い。この場合には，上記回転工程を実施する間，挿入部１１によるスナップリング６０の押し込みを継続できるよう，作業者は上記てこ構造等の操作を続けることが必要となる。しかし，上記スナップリングインサート装置１を，より簡便な構造にできる利点もある。
【００５３】
（実施例２）
本例は，実施例１の挿入部１１及び押さえ部２１の保持する構造を変更した例である。
本例のスナップリングインサート装置１は，図６及び図７に示すごとく，挿入部１１及び押さえ部２１を，トグルクランプ１０のクランプアーム１３の先端に配設したブリッジバー１３１に取り付けてある。
そのため，上記スナップリングインサート装置１は，クランプアーム１３を動作させるだけで，上記挿入部１１及び押さえ部２１をスナップリング６０に接触させることができる。
なお，その他の構成及び作用効果は，実施例１と同様である。
【図面の簡単な説明】
【図１】実施例１における，スナップリング装置によるスナップリング挿入する様子を示す側面図。
【図２】実施例１における，スナップリング装置によるスナップリング挿入する様子を示す上面図。
【図３】実施例１における，スナップリング装置を示す側面図。
【図４】実施例１における，スナップリング装置を示す上面図。
【図５】実施例１における，スナップリングを示す上面図。
【図６】実施例２における，トグルクランプを示す側面図。
【図７】実勢例２における，トグルクランプを示す上面図。
【符号の説明】
１．．．スナップリングインサート装置，
１０．．．トグルクランプ，
１１．．．挿入部，
１２．．．レバーアーム，
１３．．．クランプアーム，
１５．．．クランプ台，
２１．．．押さえ部，
２２．．．押さえ部アーム，
２２１．．．カム溝，
３０．．．ベース，
４０．．．回転テーブル，
４１．．．テーブル面，
５．．．処理部材，
５１．．．インナー部材，
５２．．．開口部，
５３．．．アウター部材，
５３１．．．円筒部，
５３２．．．リング溝，
６０．．．スナップリング，
【図１】
2004011696.tif 000003
【図２】
2004011696.tif 000004
【図３】
2004011696.tif 000005
【図４】
2004011696.tif 000006
【図５】
2004011696.tif 000007
【図６】
2004011696.tif 000008
【図７】
2004011696.tif 000009